(57)【要約】      （修正有）【課題】転売防止を可能とするラベルを提供する。【解決手段】透明フィルム基材層１２と透明粘着剤層１３と剥離紙１４とをこの順に積層した粘着積層シート１１において、透明フィルム基材層の表面に、識別情報が正印字された識別情報印刷層１５ａと、識別情報が反転印字された反転情報印刷層１５ｂと、反転情報印刷層を隠蔽する隠蔽層１６と、が形成され、隠蔽層上に表示印刷層１７が形成されるとともに、識別情報印刷層が露出するように隠蔽層から離間した位置に形成され、識別情報印刷層と反転情報印刷層として印字された識別情報が同一の情報とされている。【選択図】図２
2019113616.tif 000002
【特許請求の範囲】
【請求項１】
透明フィルム基材層と透明粘着剤層と剥離紙とをこの順に積層した識別情報付きの粘着積層シートにおいて、
前記透明フィルム基材層の表面に、前記識別情報が正印字された識別情報印刷層と、前記識別情報が反転印字された反転情報印刷層と、該反転情報印刷層を隠蔽する隠蔽層と、が形成され、
前記隠蔽層上に表示印刷層が形成されるとともに、
前記識別情報印刷層が露出するように前記隠蔽層から離間した位置に形成され、
前記識別情報印刷層として正印字された前記識別情報と前記反転情報印刷層として反転印字された前記反転情報とが同一の情報とされていることを特徴とする転売防止ラベル。
【請求項２】
前記粘着積層シートの前記透明フィルム基材層と前記透明粘着剤層とが、前記識別情報印刷層と前記反転情報印刷層とを含むパターン状に型抜き加工されていることを特徴とする請求項１記載の転売防止ラベル。
【請求項３】
請求項１または２記載の転売防止ラベルの製造方法であって、
前記透明フィルム基材層と前記透明粘着剤層と前記剥離紙とをこの順に積層した前記粘着積層シートを送り出しながら、その粘着積層シートの透明フィルム基材層の表面に、文字、記号、符号からなる識別情報を識別情報印刷層として印字するとともに、同時に、前記識別情報を反転した反転情報を反転情報印刷層として印字した後、該透明フィルム基材層上より前記反転情報印刷層を覆うように隠蔽性インキを用いて印刷方式にて隠蔽層を塗布し、該隠蔽層上に印刷インキを用いて印刷方式にて表示印刷層を印刷することを特徴とする転売防止ラベルの製造方法。
【請求項４】
前記表示印刷層を印刷した後に、前記隠蔽層より大きな輪郭で前記隠蔽層を含み前記粘着積層シートの前記透明フィルム基材層と前記透明粘着剤層とを前記識別情報印刷層を含むパターン状に型抜き加工することを特徴とする請求項３記載の転売防止ラベルの製造方法。
【請求項５】
前記透明フィルム基材層において、前記隠蔽層の設けられた範囲内において前記識別情報印刷層との離間位置が異なる状態に前記反転情報印刷層が配置された複数種類を製造することを特徴とする請求項３または４記載の転売防止ラベルの製造方法。
【請求項６】
前記識別情報印刷層および前記反転情報印刷層として印字した同一の情報内容である前記識別情報を記憶しておくとともに、
記憶された識別情報に対して、該当する転売防止ラベルの貼り着けられた製品の出荷情報あるいは販売情報を紐付けて記憶可能とされていることを特徴とする請求項３から５のいずれか記載の転売防止ラベルの製造方法。
【請求項７】
請求項１または２記載の転売防止ラベルの製造装置であって、
前記透明フィルム基材層と前記透明粘着剤層と前記剥離紙とをこの順に積層したウエブシートを供給するシート供給手段と、
供給されたシートの前記透明フィルム基材層の表面に文字、記号、符号からなる前記識別情報およびこの識別情報を反転した反転情報を識別情報印刷層および反転情報印刷層として印字する印字手段と、
前記透明フィルム基材層上より隠蔽性インキを用いて隠蔽層を印刷塗布する隠蔽層印刷手段と、
前記隠蔽層上に印刷インキを用いて表示印刷層を印刷する印刷手段と、
前記シートを巻き取る巻き取り手段と、
を備えることを特徴とする転売防止ラベルの製造装置。
【請求項８】
前記印字手段が、前記識別情報印刷層および前記反転情報印刷層として印字した同一の情報内容である前記識別情報を記憶する記憶手段に接続され、
前記記憶手段には、記憶された前記識別情報に対して、該当する転売防止ラベルの貼り着けられた製品の出荷情報あるいは販売情報が紐付けられて記憶可能とされることを特徴とする請求項７記載の転売防止ラベルの製造装置。
【発明の詳細な説明】
【技術分野】
【０００１】
本発明は転売防止ラベル、製造方法、製造装置に関し、特に、流通経路を明らかにする転売防止用に用いて好適な技術に関する。
【背景技術】
【０００２】
美容室等で使用されるシャンプー等の高額商品は、一般的に流通している商品とは異なり高級品である場合が多い。そのためこれらの商品の流通経路でそれらの商品を不当に横流しして利益を得る者が出る場合がある。通常、その商品の内容物に関する印刷がされたラベルを貼った状態で出荷することが多いが、出荷元ではこれらの不正行為を防止するため、このような比較的高額な商品では、通常のラベル表示の他に出荷先を識別可能とするための識別番号などの記号を一緒に印刷しておくことがある。
例えば、識別情報を有する識別ラベルが特許文献１に記載されている。
【先行技術文献】
【特許文献】
【０００３】
【特許文献１】特開２０１２−１１８３８７号公報
【０００４】
このようにしておくことで、流通過程で商品の横流しがされた場合、そのラベルを見れば、どの出荷先に納入する予定であった商品が横流しされたかがわかり、横流しルートの特定に役立てることができる。特許文献１には、識別情報の識別を主目的とするものが記載されているが、商品名などを印刷するラベルの一部分にこれらの情報を付加することもおこなわれている。
【発明の概要】
【発明が解決しようとする課題】
【０００５】
しかし、このような不正行為をおこなう個人は、ラベルに出荷先を示す記号が印刷されていることを認識していることが多く、横流しする際に、ラベルに印刷されているこのような認識可能な記号を削るなど識別できない状態にして、横流しルートが容易に特定できないように対応する場合がある。このような対応を取られると、出荷元で印刷した記号等による防止策が意味を持たなくなってしまう。
【０００６】
さらに、近年は、ネットオークションなど、個人が不特定多数に対して容易に販売する手段が発達しており、さらなる対策を講じることが検討されている。
【０００７】
本発明は、上記の事情に鑑みてなされたもので、以下の目的を達成しようとするものである。
１．転売防止に効果的なラベルを提供可能とすること。
２．識別番号等の記号の除去・破損に対応して、表示された識別番号等が破損された場合でも、流通経路が突き止められるようにすること。
３．ネットオークションへの不正な出品など、横流しなどの行為をより確実に防止可能とすること。
【課題を解決するための手段】
【０００８】
本発明の転売防止ラベルは、透明フィルム基材層と透明粘着剤層と剥離紙とをこの順に積層した識別情報付きの粘着積層シートにおいて、
前記透明フィルム基材層の表面に、前記識別情報が正印字された識別情報印刷層と、前記識別情報が反転印字された反転情報印刷層と、該反転情報印刷層を隠蔽する隠蔽層と、が形成され、
前記隠蔽層上に表示印刷層が形成されるとともに、
前記識別情報印刷層が露出するように前記隠蔽層から離間した位置に形成され、
前記識別情報印刷層として正印字された前記識別情報と前記反転情報印刷層として反転印字された前記反転情報とが同一の情報とされていることにより上記課題を解決した。
本発明において、前記粘着積層シートの前記透明フィルム基材層と前記透明粘着剤層とが、前記識別情報印刷層と前記反転情報印刷層とを含むパターン状に型抜き加工されていることがより好ましい。
本発明の転売防止ラベルの製造方法は、上記のいずれか記載の転売防止ラベルの製造方法であって、
前記透明フィルム基材層と前記透明粘着剤層と前記剥離紙とをこの順に積層した前記粘着積層シートを送り出しながら、その粘着積層シートの前記透明フィルム基材層の表面に、文字、記号、符号からなる識別情報を識別情報印刷層として印字するとともに、同時に、前記識別情報を反転した反転情報を反転情報印刷層として印字した後、該透明フィルム基材層上より前記反転情報印刷層を覆うように隠蔽性インキを用いて印刷方式にて隠蔽層を塗布し、該隠蔽層上に印刷インキを用いて印刷方式にて表示印刷層を印刷することが可能である。
また、前記表示印刷層を印刷した後に、前記隠蔽層より大きな輪郭で前記隠蔽層を含み前記粘着積層シートの前記透明フィルム基材層と前記透明粘着剤層とを前記識別情報印刷層を含むパターン状に型抜き加工することができる。
また、前記透明フィルム基材層において、前記隠蔽層の設けられた範囲内において前記識別情報印刷層との離間位置が異なる状態に前記反転情報印刷層が配置された複数種類を製造することができる。
また、前記識別情報印刷層および前記反転情報印刷層として印字した同一の情報内容である前記識別情報を記憶しておくとともに、
記憶された識別情報に対して、該当する転売防止ラベルの貼り着けられた製品の出荷情報あるいは販売情報を紐付けて記憶可能とされていることが好ましい。
本発明の転売防止ラベルの製造装置においては、上記のいずれか記載の転売防止ラベルの製造装置であって、
前記透明フィルム基材層と前記透明粘着剤層と前記剥離紙とをこの順に積層したウエブシートを供給するシート供給手段と、
供給されたシートの前記透明フィルム基材層の表面に文字、記号、符号からなる前記識別情報およびこの識別情報を反転した反転情報を識別情報印刷層および反転情報印刷層として印字する印字手段と、
前記透明フィルム基材層上より隠蔽性インキを用いて隠蔽層を印刷塗布する隠蔽層印刷手段と、
前記隠蔽層上に印刷インキを用いて表示印刷層を印刷する印刷手段と、
前記シートを巻き取る巻き取り手段と、
を備えることができる。
また、前記印字手段が、前記識別情報印刷層および前記反転情報印刷層として印字した同一の情報内容である前記識別情報を記憶する記憶手段に接続され、
前記記憶手段には、記憶された前記識別情報に対して、該当する転売防止ラベルの貼り着けられた製品の出荷情報あるいは販売情報が紐付けられて記憶可能とされることができる。
【０００９】
本発明の転売防止ラベルは、透明フィルム基材層と透明粘着剤層と剥離紙とをこの順に積層した識別情報付きの粘着積層シートにおいて、
前記透明フィルム基材層の表面に、前記識別情報が正印字された識別情報印刷層と、前記識別情報が反転印字された反転情報印刷層と、該反転情報印刷層を隠蔽する隠蔽層と、が形成され、
前記隠蔽層上に表示印刷層が形成されるとともに、
前記識別情報印刷層が露出するように前記隠蔽層から離間した位置に形成され、
前記識別情報印刷層として正印字された前記識別情報と前記反転情報印刷層として反転印字された前記反転情報とが同一の情報とされていることにより、同一内容とされる露出された識別情報と隠蔽された反転情報とを有する転売防止ラベルを不透明な商品表面に貼り着けて出荷することで、この転売防止ラベルが貼り着けられた商品を横流しなどしようとした際に、販売履歴や販売ルートなどの販売情報あるいは出荷情報を隠蔽しようとして、明確に視認可能な状態として露出している識別情報を切り取り・破損などして判別不可能にした場合であっても、視認できないように同一内容である反転情報が隠蔽層の下側に印字してあるため、当該商品から転売防止ラベルを剥がして反転情報を視認可能とすることにより、この反転情報から同一内容である識別情報の内容を取得することができ、この識別情報から販売履歴や販売ルートなどの販売情報あるいは出荷情報を特定することが可能となる。
【００１０】
これにより、あらかじめ識別情報と紐付けておいた販売情報あるいは出荷情報を特定して、捜査機関に連絡する、あるいは、横流ししようとした人物に直接あるいは間接に警告を発し、結果的に、横流し等の転売防止効果を得ることが可能となる。
【００１１】
同時に、もし、反転情報の存在を知り得た人物が横流しなどの不正目的でこの反転情報を判別不可能にするために切り取り・破損などしようと試みた場合には、商品の情報である表示印刷層も同時に切り取り・破損することになり、商品価値が毀損されるか、当該商品が横流し品であることを容易に判別することが可能となる。
【００１２】
これにより、横流しを企てた人物がネットオークションなどに商品の情報を公開しようとした時点で、目的とした価格とすることができないため、結果的に、横流し等の転売防止効果を得ることが可能となる。
【００１３】
また、透明フィルム基材層に変えて、不透明フィルム基材層の表面に正印刷として識別情報を印刷し、裏面に反転情報に該当する印刷をおこなってもよいが、この場合には、ラベル表面に印刷してラベルを後工程に流した後、ラベルをひっくり返してラベル裏面に印刷する際にこれらの位置あわせが必要となる。これにともなって新たな設備が必要になってしまうことを本発明は防止できる。
【００１４】
本発明において、前記粘着積層シートの前記透明フィルム基材層と前記透明粘着剤層とがパターン状に型抜き加工されていることにより、個別に異なる識別情報（シリアルナンバーなどを表示する数種類の印刷情報）を印刷する必要があり、この印刷には、レーザープリンターやドットプリンターなどデジタルデータに基づいて印字動作するデジタル印字方式のプリンターが使用される場合でも、これを可能とし、かつ、それぞれの識別情報に対応した販売履歴や販売ルートなどの販売情報あるいは出荷情報を製造ロットごとに紐付けて記憶させておくことができる。これにより、結果的に、横流し等の転売防止効果を得ることが可能となる。
【００１５】
本発明の転売防止ラベルの製造方法は、上記のいずれか記載の転売防止ラベルの製造方法であって、
前記透明フィルム基材層と前記透明粘着剤層と前記剥離紙とをこの順に積層した前記粘着積層シートを送り出しながら、その粘着積層シートの前記透明フィルム基材層の表面に、文字、記号、符号からなる識別情報を識別情報印刷層として印字するとともに、同時に、前記識別情報を反転した反転情報を反転情報印刷層として印字した後、該透明フィルム基材層上より前記反転情報印刷層を覆うように隠蔽性インキを用いて印刷方式にて隠蔽層を塗布し、該隠蔽層上に印刷インキを用いて印刷方式にて表示印刷層を印刷することにより、同一内容とされる露出された識別情報と隠蔽された反転情報とを有する転売防止ラベルを製造することが可能となる。同時に、この転売防止ラベルの製造時に、識別情報および反転情報を記憶させておくことで、商品を個別に区別可能とすることができ、これにより、転売防止ラベルを不透明な商品表面に貼り着けて出荷することで、この転売防止ラベルが貼り着けられた商品を横流しなどしようとした際に、販売履歴や販売ルートなどの販売情報あるいは出荷情報をわからなくしようとして、明確に視認可能な状態として露出している識別情報を切り取り・破損などして判別不可能にした場合であっても、視認できないように同一内容である反転情報が隠蔽層の下側に印字してあるため、当該商品から転売防止ラベルを剥がして反転情報を視認可能とすることにより、この反転情報から同一内容である識別情報の内容を取得することができ、この識別情報から販売履歴や販売ルートなどの販売情報あるいは出荷情報を特定することが可能となる。
【００１６】
また、本発明において、前記隠蔽層を、隠蔽性の紫外線硬化型インキを用いて印刷方式にて塗布し、続いて該隠蔽層を紫外線照射して硬化乾燥する手段を採用することにより、露出した識別情報と同様に、反転情報を反転情報印刷層としてデジタル印字方式にて印字しても、クリアな印字状態を維持して、かつ、反転情報を隠蔽することが可能となる。
【００１７】
また、前記隠蔽層上に印刷方式にて印刷する表示印刷層を紫外線硬化型インキを用いて印刷することにより、表示印刷層をデザイン性に富んだ商品にふさわしい印刷とすることが可能となる。
【００１８】
また、前記表示印刷層を印刷した後に、前記隠蔽層より大きな輪郭で前記識別情報印刷層を含み前記粘着積層シートの前記透明フィルム基材層と前記透明粘着剤層とを前記識別情報印刷層を含むパターン状に型抜き加工することにより、同一内容とされる露出された識別情報と隠蔽された反転情報とを同時に印刷した後に、これらを打ち抜いて同一の識別情報と反転情報とを有する転売防止ラベルを製造することが可能となる。
【００１９】
また、前記粘着積層シートをパターン状に型抜き加工する際に、前記識別情報印刷層の領域を含むように前記透明フィルム基材層と前記透明粘着剤層とを型抜き加工することにより、同一内容とされる露出された識別情報と隠蔽された反転情報とを同時に印刷した後に、これらを打ち抜いて同一の識別情報と反転情報とを有する転売防止ラベルを製造することが可能となる。同時に、この転売防止ラベルの製造時に、識別情報および反転情報を記憶させておくことで、商品を個別に区別可能とすることが可能となり、これにより、転売防止ラベルを不透明な商品表面に貼り着けて出荷することで、この転売防止ラベルが貼り着けられた商品を横流しなどしようとした際に、販売履歴や販売ルートなどの販売情報あるいは出荷情報を隠蔽しようとして、明確に視認可能な状態として露出している識別情報を切り取り・破損などして判別不可能にした場合であっても、視認できないように同一内容である反転情報が隠蔽層の下側に印字してあるため、当該商品から転売防止ラベルを剥がして反転情報を視認可能とすることにより、この反転情報から同一内容である識別情報の内容を取得することができ、この識別情報から販売履歴や販売ルートなどの販売情報あるいは出荷情報を特定することができる。
【００２０】
また、前記透明フィルム基材層において、前記隠蔽層の設けられた範囲内において前記識別情報印刷層との離間位置が異なる状態に前記反転情報印刷層が配置された複数種類を製造することにより、この転売防止ラベルが貼り着けられた商品を横流しなどしようとした際に、明確に視認可能な状態でなく露出していない反転情報を切り取り・破損などして判別不可能にして、反転情報を切り取り・破損しようとした場合であっても、隠蔽層の下側で反転情報がロットごとに異なる位置に印字してあり、転売防止ラベルを貼り着けたままでは反転情報のみを切り取り・破損することが容易ではないため、商品価値を毀損する程度まで表示印刷層を破壊してしまうことになる。これにより、当該商品から転売防止ラベルをすべて剥がして転売できない状態とするか、転売不可能な程度に表示印刷層を破壊することになるため、転売防止効果を奏することが可能となる。
【００２１】
また、前記識別情報印刷層および前記反転情報印刷層として印字した同一の情報内容である前記識別情報を記憶しておくとともに、
記憶された識別情報に対して、該当する転売防止ラベルの貼り着けられた製品の出荷情報あるいは販売情報を紐付けて記憶可能とされていることにより、転売防止ラベルを不透明な商品表面に貼り着けて出荷することで、この転売防止ラベルが貼り着けられた商品を横流しなどしようとした際に、販売履歴や販売ルートなどの販売情報あるいは出荷情報を隠蔽しようとして、明確に視認可能な状態として露出している識別情報を切り取り・破損などして判別不可能にした場合であっても、視認できないように同一内容である反転情報が隠蔽層の下側に印字してあるため、当該商品から転売防止ラベルを剥がして反転情報を視認可能とすることにより、この反転情報から同一内容である識別情報の内容を取得することができ、この識別情報から販売履歴や販売ルートなどの販売情報あるいは出荷情報を特定することで、転売防止効果を奏することができる。
【００２２】
本発明の転売防止ラベルの製造装置においては、上記のいずれか記載の転売防止ラベルの製造装置であって、
前記透明フィルム基材層と前記透明粘着剤層と前記剥離紙とをこの順に積層したウエブシートを供給するシート供給手段と、
供給されたシートの前記透明フィルム基材層の表面に文字、記号、符号からなる前記識別情報およびこの識別情報を反転した反転情報を識別情報印刷層および反転情報印刷層として印字する印字手段と、
前記透明フィルム基材層上より隠蔽性インキを用いて隠蔽層を印刷塗布する隠蔽層印刷手段と、
前記隠蔽層上に印刷インキを用いて表示印刷層を印刷する印刷手段と、
前記シートを巻き取る巻き取り手段と、
を備えることにより、同一内容とされる露出された識別情報と隠蔽された反転情報とを有する転売防止ラベルを製造することが可能となる。同時に、この転売防止ラベルの製造時に、識別情報および反転情報となる商品を個別に区別可能とする同一の情報を記憶させておくことが可能となり、これにより、転売防止ラベルを不透明な商品表面に貼り着けて出荷することで、この転売防止ラベルが貼り着けられた商品を横流しなどしようとした際に、販売履歴や販売ルートなどの販売情報あるいは出荷情報をわからなくしようとして、明確に視認可能な状態として露出している識別情報を切り取り・破損などして判別不可能にした場合であっても、視認できないように同一内容である反転情報が隠蔽層の下側に印字してあるため、当該商品から転売防止ラベルを剥がして反転情報を視認可能とすることにより、この反転情報から同一内容である識別情報の内容を取得することができ、この識別情報から販売履歴や販売ルートなどの販売情報あるいは出荷情報を特定可能な転売防止ラベルを製造することが可能となる。
【００２３】
また、前記隠蔽層印刷手段が、前記隠蔽層を、隠蔽性の紫外線硬化型インキを用いて印刷方式にて塗布するものとされとともに、
印刷塗布された前記隠蔽層を硬化乾燥する紫外線照射手段を有することにより、表示印刷層をデザイン性に富んだ商品にふさわしい印刷とすることが可能な転売防止ラベルを製造することが可能となる。
【００２４】
また、前記隠蔽層上に表示印刷層を印刷する印刷手段が、紫外線硬化型インキを用いて前記隠蔽層上に印刷する紫外線照射手段を備えることにより、表示印刷層をデザイン性に富んだ商品にふさわしい印刷とすることが可能な転売防止ラベルを製造することが可能となる。
【００２５】
また、前記印刷手段と巻き取り手段との間に、前記隠蔽層上より粘着積層シートの透明フィルム基材層と透明粘着剤層とをパターン状に型抜き加工する型抜き手段を備えることにより、同一内容とされる露出された識別情報と隠蔽された反転情報とを同時に印刷した後に、これらを打ち抜いて同一の識別情報と反転情報とを有する転売防止ラベルを製造可能とすることが可能となる。
【００２６】
また、前記印字手段が、前記識別情報印刷層および前記反転情報印刷層として印字した同一の情報内容である前記識別情報を記憶する記憶手段に接続され、
前記記憶手段には、記憶された前記識別情報に対して、該当する転売防止ラベルの貼り着けられた製品の出荷情報あるいは販売情報が紐付けられて記憶可能とされることにより、同一内容とされる露出された識別情報と隠蔽された反転情報とを有する転売防止ラベルを製造することが可能となる。同時に、この転売防止ラベルの製造時に、識別情報および反転情報を記憶させておくことで、商品を個別に区別可能とすることが可能となり、これにより、転売防止ラベルを不透明な商品表面に貼り着けて出荷することで、この転売防止ラベルが貼り着けられた商品を横流しなどしようとした際に、販売履歴や販売ルートなどの販売情報あるいは出荷情報を隠蔽しようとして、明確に視認可能な状態として露出している識別情報を切り取り・破損などして判別不可能にした場合であっても、視認できないように同一内容である反転情報が隠蔽層の下側に印字してあるため、当該商品から転売防止ラベルを剥がして反転情報を視認可能とすることにより、この反転情報から同一内容である識別情報の内容を取得することができ、この識別情報から販売履歴や販売ルートなどの販売情報あるいは出荷情報を特定可能な転売防止ラベルを製造することが可能となる。
【発明の効果】
【００２７】
本発明によれば、隠蔽された反転情報により、識別情報が破損された場合でも、識別情報から販売履歴や販売ルートなどの販売情報あるいは出荷情報を特定可能であり、かつ、商品価値を毀損せずには識別情報からの追跡を遮断が可能とはできない状態を実現し、貼り着けられた商品が転売されてしまうことが防止できる転売防止ラベルを提供することができるという効果を奏することが可能となる。
【図面の簡単な説明】
【００２８】
【図１】本発明に係る転売防止ラベルの第１実施形態を貼り着けた商品を示す斜視図である。
【図２】本発明に係る転売防止ラベルの第１実施形態を示す断面図である。
【図３】本発明に係る転売防止ラベルの製造方法の第１実施形態を示す工程図である。
【図４】本発明に係る転売防止ラベルの製造装置の第１実施形態を示す模式図である。
【図５】本発明に係る転売防止ラベルの第１実施形態を用いた転売防止システムを示す模式図である。
【図６】本発明に係る転売防止ラベルの第２実施形態を示す正面図である。
【図７】本発明に係る転売防止ラベルの第３実施形態を示す正面図である。
【図８】本発明に係る転売防止ラベルの第４実施形態を示す断面図である。
【図９】本発明に係る転売防止ラベルの第５実施形態を示す断面図である。
【発明を実施するための形態】
【００２９】
以下、本発明に係る転売防止ラベルの第１実施形態を、図面に基づいて説明する。
図１は、本実施形態における転売防止ラベルを貼り着けた商品を示す斜視図であり、図２は、本実施形態における転売防止ラベルを示す断面図であり、図において、符号１０は、転売防止ラベルである。
【００３０】
本実施形態に係る転売防止ラベル１０は、図１，図２に示すように、高級シャンプー容器などの商品Ｓの表面に貼り着けられるものとされ、貼り着けられた状態で正面から平面視して、識別情報を印字した識別情報印刷層と、隠蔽層上に形成された表示印刷層とが視認可能となっている。
【００３１】
転売防止ラベル１０は、粘着積層シート１１から製造されるものとされ、粘着積層シート１１は、図２に示すように、透明フィルム基材層１２と、透明粘着剤層１３と、シリコーン樹脂など離型剤を塗工した剥離紙１４とをこの順に積層したものである。
【００３２】
粘着積層シート１１の前記透明フィルム基材層１２の表面には、デジタル印字方式にて識別情報を印字して露出状態とされた識別情報印刷層１５ａと、識別情報を反転印字された反転情報印刷層１５ｂとが印字形成され、該透明フィルム基材層１２の表面に反転印字印刷層１５ｂを隠蔽する隠蔽層１６が形成されている。また該隠蔽層１６上には、適宜に表示印刷層１７が形成されている。
【００３３】
なお隠蔽層１６は、反転情報印刷層１５ｂを不可視状態に隠蔽する層であり、隠蔽性のある印刷インキが使用でき、ホワイトインキや各種着色インキが使用できる。
表示印刷層１７は、貼り着ける商品（被着体）Ｓの情報を示すものとされ、デザイン、表示情報によって適宜決定される。また、表示印刷層１７は、隠蔽層１６の全域を覆うように設けられていてもよいし、隠蔽層１６の一部が露出している状態とされてもよい。
【００３４】
粘着積層シート１１には、隠蔽層１６上より粘着積層シート１１の透明フィルム基材層１２と透明粘着剤層１３とを、打抜刃によりラベル輪郭形状にパターン状に型抜き加工した打抜き刻切部１８が形成され、該刻切部１８を介して、パターン状に型抜き加工した転売防止ラベル１０の透明フィルム基材層１２と透明粘着剤層１３とが、隠蔽層１６を含んで剥離紙１４から剥離できるようになっている。
【００３５】
透明フィルム基材層１２に使用する材料は、例えばポリエチレンテレフタレート（ＰＥＴ）フィルム、ポリプロピレンフィルムなど各種の合成樹脂フィルムが使用できる。
【００３６】
透明粘着剤層１３に使用する粘着剤としては、例えば、天然ゴムまたは／およびブタジエン−スチレンゴム、アクリルゴム等の合成ゴムを主成分とするゴム系粘着剤、アクリル酸、アクリル酸ブチル、アクリル酸２エチルヘ キシル等を主成分とするアクリル系粘着剤
（東洋インキ製造（株）製；商品名；オリバインＢＰＷ４６５５；水性溶媒分散型のアクリル系エマルジョン型粘着剤）など各種の感圧性接着剤（粘着剤）が使用できる。また加熱により粘着性を帯びる感熱性粘着剤（剥離紙不使用）を必要に応じて使用してもよい。
【００３７】
なお、透明粘着剤層１３として、商品Ｓの表面に貼り着けた後に再剥離可能なものを採用することも可能である。
【００３８】
剥離紙１４としては、紙製シートや合成樹脂フィルム製シートの片面（粘着剤層１３側と接する面）に、シリコーン樹脂やワックスなどの剥離層を塗工したものが使用できる。
【００３９】
それぞれ透明フィルム基材層１２の表面にデジタル印字方式にて正印字された識別情報印刷層１５ａと反転印字された反転印字印刷層１５ｂとは、それぞれ、隠蔽情報付き粘着シートにおける隠蔽の対象とならない印刷層および隠蔽の対象となる印刷層であって、該印刷層１５ａ，１５ｂに印刷された印刷情報（識別情報）は、複数の転売防止ラベル１０においてはいずれも同一情報とは限らず、シリアルナンバーなどの可変情報が印刷され、例えばその可変情報として印字されている。
【００４０】
識別情報印刷層１５ａと反転情報印刷層１５ｂとは同一の識別情報とされ、予めデータ記憶手段（記録媒体）に記録格納したデジタル印字データを順次読み出し、読み出された印字データに基づいて印字動作するデジタル印字方式プリンター（ドットプリンターまたは画素型プリンター）が使用され、インパクト型またはノンインパクト型であって、シリアル方式（１ドット、１画素印字方式）またはライン方式（一列印字方式）のプリンターで、例えは、モノクロやカラー印字用のワイヤドットプリンター、感熱転写プリンター、昇華転写プリンター、レーザープリンター、インクジェットプリンターなどが使用される。
【００４１】
次に、文字、記号などからなる識別情報とされる識別情報印刷層１５ａと、文字、記号などからなる識別情報と同一内容の情報とされてその向きを左右反転させた反転情報を印字した反転情報印刷層１５ｂと、を透明フィルム基材層１２上に印字する方法について説明する。
【００４２】
例えば、パソコンなどコンピュータや、製造装置の制御部におけるデータベースなどの記憶部に各種文字、記号、キーワードなどの識別情報とされる正文字データ（正文字画素データ）と、その向きを左右反転させた反転文字データ（反転文字画素データ）とをセットにしてメモリテーブル（識別情報文字フォントメモリテーブル）として用意しておき、例えば、シリアルナンバーとされる識別情報の印字に必要な正文字データと、その文字の向きを左右反転させた印字に必要な反転文字データを、順次正反文字フォントメモリテーブルより読み出して、データ記憶手段（記録媒体）に一旦記録格納する。
【００４３】
そして、粘着積層シート１１の透明フィルム基材層１２表面とデジタル印字方式プリンターの印字ヘッドとを対向させ、両者を相対的に移動させながら、即ち、静止する透明フィルム基材層１２表面上に印字ヘッドを正方向（順次右方向、または順次下方向の正読方向）に走査移動させるか、または静止する印字ヘッドに対して透明フィルム基材層１２表面を逆方向（順次左方向、または順次上方向の逆読方向）に搬送移動させながら、上記データ記憶手段から印字すべき正反文字データをシリアル方式またはライン方式にて順次読み出し、その正反文字データに基づいて印字ヘッドを印字動作させ、透明フィルム基材層１２表面に識別情報印刷層１５ａと反転情報印刷層１５ｂとを印字するものである。
【００４４】
また、他の反転印字方法としては、パソコンなどコンピュータや、製造装置の制御部におけるデータベースなどの記憶部に各種文字、記号、キーワードなどの正向き文字データ（正向き文字画素データ）を、データメモリテーブル（正向き文字フォントメモリテーブル）として用意しておき、正向きのシリアルナンバーなど印字に必要な文字データを、順次正向き文字フォントメモリテーブルより読み出してデータ記憶手段（記録媒体）に一旦記録格納する。
【００４５】
そして、粘着積層シート１１の透明フィルム基材層１２表面とデジタル印字方式プリンターの印字ヘッドとを対向させ、両者を相対的に移動させながら、即ち、静止する透明フィルム基材層１２表面上に印字ヘッドを逆方向（順次左方向、または順次上方向の逆読方向）に走査移動させるか、または静止する印字ヘッドに対して透明フィルム基材層１２表面を正方向（順次右方向、または順次下方向の正読方向）に搬送移動させながら、上記データ記憶手段から印字すべき正向き文字データをシリアル方式またはライン方式にて順次読み出し、その正向き文字データに基づいて印字ヘッドを印字動作させ、透明フィルム基材層１２表面に識別情報印刷層１５ａと反転情報印刷層１５ｂとを印字するものである。
【００４６】
本実施形態のシリアルナンバーおよび隠蔽された同一のシリアルナンバー付きの転売防止ラベル１０の使用例を説明する。
本実施形態の転売防止ラベル１０は、図１に示すように、隠蔽情報付きの粘着積層シート１１とされた転売防止ラベル１０を剥離紙１４から剥離し、粘着剤層１３を介して不透明な被着体（例えば高級シャンプーの容器）Ｓの表面に貼着すると、透明フィルム基材層１２上に形成した反転情報印刷層１５ｂは隠蔽層１６によって隠蔽されて、反転情報印刷層１５ｂは、肉眼では転売防止ラベル１０の表面から直接観察できない。
【００４７】
これに対して、透明フィルム基材層１２上に形成した識別情報印刷層１５ａは隠蔽層１６によって隠蔽されていないので、識別情報印刷層１５ａは、肉眼で転売防止ラベル１０の表面から直接観察できる。
【００４８】
ここで、被着体Ｓあるいは剥離紙１４の表面から転売防止ラベル１０を剥離した後に、透明粘着剤層１３側から観察すると、粘着剤層１３と透明フィルム基材層１２を透して反転情報印刷層１５ｂは正向き文字、記号による識別情報（例えば、シリアルナンバーとされる数字）が肉眼にて観察できる。
【００４９】
次に、転売防止ラベル１０の製造方法を、図面に基づいて説明する。
【００５０】
図３は、本実施形態における転売防止ラベルの製造方法を示す工程図である。
まず、図３（ａ）に示すように、透明フィルム基材層１２と透明粘着剤層１３と剥離紙１４とをこの順に積層した巻き取りロール状の長尺の粘着積層シート１１を送り出しながら、図３（ｂ）に示すように、そのシート１１の透明フィルム基材層１２の表面に、文字、記号、符号等からなる識別情報となる識別情報印刷層１５ａおよびこの識別情報を反転した反転情報印刷層１５ｂをデジタル印字方式にて所定の位置関係となるように印字する。なお、レーザープリンターなどトナーを用いて印字した場合には、印字部分のトナーをヒートロールにて加熱して透明フィルム基材層１２表面に定着する。
【００５１】
続いて、図３（ｃ）に示すように、透明フィルム基材層１２上より隠蔽性の紫外線硬化型インキを用いて印刷方式にて隠蔽層１６を部分的に塗布して反転情報印刷層１５ｂのみを隠蔽するとともに識別情報印刷層１５ａは露出状態とし、続いて該隠蔽層１６を紫外線照射して硬化乾燥した後に、図３（ｄ）に示すように、該隠蔽層１６上に適宜印刷インキを用いて印刷方式にて表示印刷層１７を印刷する。なお、表示印刷層１７は紫外線硬化型インキを用いて印刷してもよい。
なお、隠蔽層１６
【００５２】
また本実施形態の製造方法においては、前記表示印刷層１７を印刷した後に、図３（ｅ）に示すように、前記隠蔽層１６上より粘着積層シート１１の透明フィルム基材層１２と透明粘着剤層１３とを打抜刃を用いて刻切部１８を形成し、隠蔽層１６および隠蔽層１６に隠蔽されていない識別情報印刷層１５ａを含むように転売防止ラベル輪郭形状となるパターン状に型抜き加工するものである。
【００５３】
また本実施の製造方法においては、前記表示印刷層１７を印刷した後に、前記粘着積層シート１１の透明フィルム基材層１２と透明粘着剤層１３とをラベル輪郭パターン状に型抜き加工した後、図３（ｆ）に示すように、型抜き加工したパターン領域以外の領域の透明フィルム基材層と透明粘着剤層とを剥離除去して、剥離紙１４上にパターン状に型抜きされた透明フィルム基材層１２が形成され、その基材１２上に識別情報印刷層１５ａ、反転情報印刷層１５ｂ、隠蔽層１６、表示印刷層１７の積層された隠蔽情報付き転売防止ラベル１０が製造される。
【００５４】
次に、本実施形態の転売防止ラベルの製造装置について、図面に基づいて詳細に説明する。
【００５５】
図４は、本実施形態における転売防止ラベルの製造装置を示す模式図である。
転売防止ラベルの製造装置１００は、図４に示すように、透明フィルム基材層１２と透明粘着剤層１３と剥離紙１４とをこの順に積層したウエブ状シート１１（粘着積層シート；ロールシート；ロール状タックシート）を支軸２１に支持して巻き出し供給するウエブシート供給手段２２（駆動ニップロール；インフィードロール）を備える。
【００５６】
供給されたウエブシート１１は各ガイドロールｇにガイドされて供給され、その供給方向の後段には、文字、記号、符号等からなる識別情報とされる識別情報印刷層１５ａと識別情報を反転した反転情報印刷層１５ｂとを印字するデジタル印字手段（印字手段）２３を備え、そのシート１１の透明フィルム基材層１２の表面に文字、記号、符号等からなる識別情報とされる識別情報印刷層１５ａと識別情報を反転した反転情報印刷層１５ｂとをほぼ同時に印字する。
【００５７】
このとき、パソコンなどコンピュータや、製造装置の制御部におけるデータベースなどのデータ記憶手段２３Ａに格納された、各種文字、記号、キーワードなどの識別情報とされる正文字データ（正文字画素データ）と、その向きを左右反転させた反転文字データ（反転文字画素データ）とをセットにしてメモリテーブル（識別情報文字フォントメモリテーブル）として記憶しておいた、例えば、シリアルナンバーとされる識別情報の印字に必要な正文字データと、その文字の向きを左右反転させた印字に必要な反転文字データを、順次正反文字フォントメモリテーブルより読み出して、データ記憶手段（記録媒体）２３Ａに接続されたデジタル印字手段２３によって、透明フィルム基材層１２表面に識別情報印刷層１５ａと反転情報印刷層１５ｂとを印字するものである。
【００５８】
あるいは、他の反転印字方法としては、パソコンなどコンピュータや、製造装置の制御部におけるデータベースなどのデータ記憶手段２３Ａに格納された、各種文字、記号、キーワードなどの正向き文字データ（正向き文字画素データ）を、データメモリテーブル（正向き文字フォントメモリテーブル）として用意しておき、正向きのシリアルナンバーなど印字に必要な文字データを、順次正向き文字フォントメモリテーブルより読み出してデータ記憶手段（記録媒体）２３Ａに接続されたデジタル印字手段２３によって、透明フィルム基材層１２表面に識別情報印刷層１５ａと反転情報印刷層１５ｂとを印字するものである。
【００５９】
デジタル印字手段２３の後段には、ウエブシート１１をガイドする各ガイドロールｇと、グラビア、オフセット印刷塗布方式、またはロール塗布方式などによる隠蔽層印刷手段２４（塗布ロール２４ａ、圧ロール２４ｂ）を備え、反転印字印刷層１５が印字された透明フィルム基材層１２上より隠蔽性の紫外線硬化型インキを用いて隠蔽層１６を印刷塗布して、反転情報印刷層１５ｂを隠蔽する。
【００６０】
隠蔽層印刷手段２４の後段には、ウエブシート１１をガイドする各ガイドロールｇと、印刷塗布された前記隠蔽層１６を硬化乾燥する紫外線照射手段２５を備え、塗布した隠蔽層１６を紫外線照射にて硬化乾燥する。
【００６１】
紫外線照射手段２５の後段には、ウエブシート１１をガイドする各ガイドロールｇと、グラビア、オフセット印刷塗布方式などによる印刷手段２６（印刷版ロール２６ａ、圧ロール２６ｂ）を備え、乾燥した前記隠蔽層１６上に適宜印刷インキを用いて表示印刷層１７を印刷する。
【００６２】
表示印刷層１７を印刷する印刷手段２６の後段には、ウエブシート１１をガイドする各ガイドロールｇと、ウエブシート１１を巻き取る巻き取り手段３１（アウトフィードロール；駆動ニップロール）を備え、透明フィルム基材層１２の表面に反転印字印刷層１５と
隠蔽層１６をこの順に積層形成したウエブシート１１を支軸３２に支持しながらロール状に巻き取り、ウエブシート１１の剥離紙１４上に透明粘着剤層１３を介して接着した隠蔽層１６と透明フィルム基材層１２と透明粘着剤層１３からなる表示印刷層１７および対となる正反印字の識別情報付き粘着積層シート１１を製造する。
【００６３】
本実施形態の転売防止ラベル１０の製造装置１００においては、硬化乾燥した前記隠蔽層１６上に紫外線硬化型インキを用いて表示印刷層１７を印刷する印刷手段２６を備えてもよく、紫外線硬化型インキにて表示印刷層１７を印刷する場合には、上記印刷手段２６の後段に、ウエブシート１１をガイドする各ガイドロールｇと、紫外線照射手段２７を備え、紫外線照射により表示印刷層１７を硬化乾燥させるようになっている。
【００６４】
また本実施形態の転売防止ラベル１０の製造装置１００において、前記印刷手段２６と巻き取り手段３１との間に、ウエブシート１１をガイドする各ガイドロールｇと、型抜き手段２８（ロール打抜刃２８ａ、圧ロール２８ｂ）を備え、ウエブシート１１（粘着積層シート）の透明フィルム基材層１２と透明粘着剤層１３とを、隠蔽層１６上より剥離紙１４を残してパターン状に型抜き加工して、刻切部１８を形成して、ウエブシート１１の剥離紙１４上に透明粘着剤層１３を介して剥離可能に接着したパターン状に型抜き加工され刻切部１８を備えた隠蔽層１６と透明フィルム基材層１２と透明粘着剤層１３からなり正印字で露出した識別情報印刷層１５ａと反転印字で隠蔽された反転情報印刷層１５ｂとを有する転売防止ラベル１０を製造する。
【００６５】
また本実施形態の転売防止ラベル１０の製造装置１００においては、前記型抜き手段２８と巻き取り手段３１との間に、剥離除去手段２９（剥離押さえロール２９ａ、巻き取り支軸２９ｂ）を備える。この製造装置１００では、上記ラベル輪郭パターン状に型抜き加工した転売防止ラベル１０のと透明フィルム基材層１２と透明粘着剤層１３と隠蔽層１６と識別情報印刷層１５ａとを有するパターン領域以外の領域を、剥離押さえロール２９ａから巻き取り支軸２９ｂの方向に引っ張り剥離除去する。これにより、製造装置１００は、ウエブシート１１の剥離紙１４上に透明粘着剤層１３を介して剥離可能に接着したパターン状に打ち抜き形成した表示印刷層１７と隠蔽層１６と透明フィルム基材層１２と透明粘着剤層１３からなる転売防止ラベル１０を製造する。
【００６６】
次に、本実施形態の転売防止ラベルを用いた転売防止システムについて、図面に基づいて詳細に説明する。
【００６７】
図５は、本実施形態における転売防止ラベルを用いた転売防止システムを示す模式図である。
本実施形態における転売防止ラベル１０を用いた転売防止システムは、図５に示すように、剥離紙１４に複数可着された転売防止ラベル１０を、被着体である高級シャンプーなどの不透明容器（商品）Ｓ表面に貼り着ける。
このとき、転売防止ラベル１０には識別情報印刷層１５ａと反転情報印刷層１５ｂとしてシリアルナンバー等の個別標識可能な識別情報が印刷されている。
なお、この商品Ｓは、一般の小売りはおこなわないタイプのものとされる。
【００６８】
転売防止ラベル１０の貼り着けられた商品Ｓは、それぞれのロットにおいて識別情報と紐付けられた出荷ルートＲ１〜Ｒ４に従って、それぞれ異なる販売店Ｒ１１〜Ｒ１４などに出荷される。
【００６９】
例えば、出荷ルートＲ４において、転売行為がおこなわれた場合、商品Ｓの現物に貼り着けられた転売防止ラベル１０に識別情報印刷層１５ａとして印字された識別情報を、データ記憶手段２３Ａに格納されたデータと照らし合わせることで、出荷ルートＲ１〜Ｒ４のうち、出荷ルートＲ４に出荷したロットから転売がおこなわれたことが識別できる。
【００７０】
あるいは、識別情報印刷層１５ａが破壊・毀損されていた場合には、商品Ｓの現物に貼り着けられた転売防止ラベル１０を剥がして、反転情報印刷層１５ｂとして印字された識別情報を視認し、データ記憶手段２３Ａに格納されたデータと照らし合わせることで、出荷ルートＲ１〜Ｒ４のうち、出荷ルートＲ４に出荷したロットから転売がおこなわれたことが識別できる。
【００７１】
また、転売された商品Ｓが、インターネットＮなどに出品された場合、その画像から、商品Ｓの現物に貼り着けられた転売防止ラベル１０に識別情報印刷層１５ａとして印字された識別情報を、データ記憶手段２３Ａに格納されたデータと照らし合わせることで、出荷ルートＲ１〜Ｒ４のうち、出荷ルートＲ４に出荷したロットから転売がおこなわれたことが識別できる。
【００７２】
あるいは、転売された商品Ｓが、識別情報印刷層１５ａが破壊・毀損された状態でインターネットＮなどに出品された場合には、購入者に連絡して、商品Ｓに貼り着けられた転売防止ラベル１０を剥がして、反転情報印刷層１５ｂとして印字された識別情報を確認し、その識別情報をデータ記憶手段２３Ａに格納されたデータと照らし合わせることで、出荷ルートＲ１〜Ｒ４のうち、出荷ルートＲ４に出荷したロットから転売がおこなわれたことが識別できる。
【００７３】
また、転売者が、出荷ルートを特定されないように、転売防止ラベル１０において、識別情報印刷層１５ａと反転情報印刷層１５ｂとの両方を破壊・毀損した場合には、転売防止ラベル１０の表示印刷層１７および隠蔽層１６とが破壊・毀損されてしまう。これにより、転売での利益が得られない程度に表示印刷層１７および隠蔽層１６が破壊・毀損されることにより、そもそもの、転売意図をくじくことができ、転売防止効果を得ることが可能となる。
【００７４】
また本実施形態の転売防止ラベル１０は、その製造方法およびその製造装置において、表示すべき識別情報印刷層１５ａと隠蔽すべき反転情報印刷層１５ｂとを透明フィルム基材１２面に直接印刷するために、従来のような柔軟な粘着表面である粘着剤層１３の表面に印刷する場合に比較して、印字面の硬度が高く、印刷情報の印字再現性に優れており、また凸版方式や活字方式の印字方式に限らず、各種デジタル印字方式によるシリアルナンバー等の可変データである識別情報の印字において印字再現性に優れた効果を発揮することができる。
また、本実施形態の転売防止ラベル１０は、転売防止システムとして、印字された識別情報印刷層１５ａと反転情報印刷層１５ｂとがデータ記憶手段２３Ａに記憶された識別情報に対応して、該当する転売防止ラベル１０の貼り着けられた商品Sの出荷情報あるいは販売情報を紐付けて記憶されていることにより、この紐付け情報から転売がおこなわれた出荷ルートＲ４を特定することが可能となる。これにより、転売者の推定、転売者への警告、捜査機関への連絡等の転売防止策をおこなうことができる。
【００７５】
また、本実施形態の転売防止ラベルの製造方法およびその製造装置１００においては、透明フィルム基材層１２と透明粘着剤層１３と剥離紙１４と隠蔽層１６を積層した粘着積層シート１１を用いて、そのシートの透明フィルム基材層１２の表面に表示すべき識別情報印刷層１５ａと隠蔽すべき反転情報印刷層１５ｂとして識別情報を印字して製造できるため、製造工程の省力化と製造効率の向上および製造コストの低減化を達成して防犯効果を呈することのできる転売防止ラベルを安価に提供することができる。
【００７６】
なお、本実施形態の転売防止ラベル１０においては、隠蔽された反転情報印刷層１５ｂが設けられていれば、識別情報印刷層１５ａを設けないこともできる。
【００７７】
以下、本発明に係る転売防止ラベルの第２実施形態を、図面に基づいて説明する。
図６は、本実施形態における転売防止ラベルを示す平面図であり、本実施形態において、上述した第１実施形態と異なるのは、反転情報印刷層１５ｂの印字位置に関する点であり、これ以外の上述した第１実施形態と対応する構成には同一の符号を付してその説明を省略する。
【００７８】
本実施形態における転売防止ラベル１０は、図６に示すように、ロットによって反転情報印刷層１５ｂ１〜１５ｂ３のいずれかの位置となるように選択して反転情報が印字されている。
【００７９】
反転情報印刷層１５ｂ１〜１５ｂ３は、いずれか一箇所を選択して、識別情報印刷層１５ａと同一内容で反転された反転情報を印刷するものとされ、たとえば、製造ロットによって、その位置が選択されるものとされることになる。
この反転情報印刷層１５ｂ１〜１５ｂ３において選択された位置は、印字内容である識別情報とともに、データ記憶手段２３Ａに格納されている。
【００８０】
これにより、本実施形態における転売防止ラベル１０は、転売防止ラベル１０を商品Ｓから剥がさないで、識別情報印刷層１５ａと反転情報印刷層１５ｂ１〜１５ｂ３とを毀損・破壊しようとしても、その位置が明確でないため、結局転売防止ラベル１０そのものを破壊しないでこれらの識別情報を消去することができなくなる。
【００８１】
たとえ、別の商品Ｓにおいて一度反転情報印刷層１５ｂ１〜１５ｂ３を毀損・破壊して、その位置を認識していたとしても、他の商品Ｓでは、反転情報が、反転情報印刷層１５ｂ１〜１５ｂ３のいずれかに印字されているため、位置を特定することができずに、結局転売防止ラベル１０そのものを破壊しないでこれらの識別情報を消去することができなくなる。このため、転売防止効果を呈することが可能となる。
【００８２】
以下、本発明に係る転売防止ラベルの第３実施形態を、図面に基づいて説明する。
図７は、本実施形態における転売防止ラベルを示す平面図であり、本実施形態において、上述した第１および第２実施形態と異なるのは、識別情報印刷層１５ａの印字位置に関する点であり、これ以外の上述した第１実施形態と対応する構成には同一の符号を付してその説明を省略する。
【００８３】
本実施形態における転売防止ラベル１０は、図７に示すように、識別情報印刷層１５ａの印字位置が、表示印刷層１７および隠蔽層１６に囲まれた状態となるように識別情報が印字されている。
【００８４】
つまり、識別情報印刷層１５ａは、その全周において、透明フィルム基材層１２が露出した状態で、さらに、この透明フィルム基材層１２の周囲全長が隠蔽層１６に囲まれた位置に印刷するものとされる。
【００８５】
これにより、本実施形態における転売防止ラベル１０は、転売防止ラベル１０を商品Ｓから剥がさないで、識別情報印刷層１５ａを毀損・破壊しようとしても、表示印刷層１７および隠蔽層１６を毀損せずに識別情報を消去することが難しくなる。このため、転売防止効果を呈することが可能となる。
【００８６】
以下、本発明に係る転売防止ラベルの第４実施形態を、図面に基づいて説明する。
図８は、本実施形態における転売防止ラベルを示す断面図である。
本実施形態において上述した第１から第３実施形態と異なるのは隠蔽下層に関する点であり、これ以外の対応する構成要素に関しては、同一の符号を付してその説明を省略する。
【００８７】
本実施形態の転売防止ラベル１０においては、図８に示すように、隠蔽層１６に対応する領域で、透明フィルム基材層１２の裏面、すなわち、剥離紙１４側に隠蔽下層１６ａが形成されている。
【００８８】
隠蔽下層１６ａは、透明フィルム基材層１２の裏面から反転印字印刷層１５ｂが単純には視認されないように、この反転印字印刷層１５ｂを隠蔽するものとされ、隠蔽層１６とは異なり、隠蔽下層１６ａは可視光に対しては反転印字印刷層１５ｂを隠蔽可能なように遮断するが、例えばＵＶなどとされる特定波長の光は透過可能な材質からなっている。
【００８９】
なお隠蔽下層１６ａは、反転情報印刷層１５ｂを不可視状態に隠蔽可能であれば、隠蔽層１６の全域に設ける必要はないが、転売行為時に反転情報印刷層１５ｂの破壊・毀損を防止するために、隠蔽層１６の全域に設けることが好ましい。
隠蔽下層１６ａは、識別情報印刷層１５ａおよび反転情報印刷層１５ｂの形成前に、隠蔽層１６の全域に対応する透明フィルム基材層１２の裏面から印刷・塗布・積層等により形成することができる。
【００９０】
なお、本実施形態において、隠蔽下層１６ａを透明フィルム基材層１２の裏面側に形成したが、透明フィルム基材層１２の反対面側、つまり、透明フィルム基材層１２の表面で反転情報印刷層１５ｂの下側位置に設けることもできる。
【００９１】
あるいは、隠蔽下層１６ａを反転情報印刷層１５ｂの隠蔽可能な面内位置に加えて、識別情報印刷層１５ａの剥離紙１４側にまで延長して形成することも可能である。さらに、この場合、隠蔽下層１６ａを透明フィルム基材層１２と識別情報印刷層１５ａとの間となるように、透明フィルム基材層１２の表面で反転情報印刷層１５ｂの下側位置に設けることもできる。
【００９２】
さらに、本実施形態において、表示印刷層１７および隠蔽層１６の下側（視認方向裏側）に隠蔽下層１６ａを設けることで商品Ｓ表面の模様・色を遮断することが可能となるため、商品Ｓ表面の模様・色に影響されることなく、表示印刷層１７の表示状態を向上することが可能となる。
【００９３】
以下、本発明に係る転売防止ラベルの第５実施形態を、図面に基づいて説明する。
図９は、本実施形態における転売防止ラベルを示す断面図である。
本実施形態において上述した第１から第４実施形態と異なるのはラミネート層に関する点であり、これ以外の対応する構成要素に関しては、同一の符号を付してその説明を省略する。
【００９４】
本実施形態の転売防止ラベル１０においては、図９に示すように、表示印刷層１７および識別情報印刷層１５ａを覆うようにラミネート層１６ｃが形成されている。
ラミネート層１６ｃは、表示印刷層１７および識別情報印刷層１５ａを覆って、これらの保護するものとされている。
【００９５】
ラミネート層１６ｃは、ポリエチレンテレフタレート（ＰＥＴ）フィルム、ポリプロピレンフィルムなど各種の合成樹脂フィルムとされる材質からなることができる。また、ラミネート層１６ｃは、識別情報印刷層１５ａおよび表示印刷層１７が露出して形成された粘着積層シート１１の表面に塗布、貼り着けおよび固化・圧着等の手法により形成することができる。
【００９６】
ラミネート層１６ｃは、少なくとも識別情報印刷層１５ａを覆っていればよく、さらに、隠蔽層１６および表示印刷層１７を覆うように形成することができる。また、ラミネート層１６ｃは、粘着積層シート１１に対して必要な領域のみ設けることや、粘着積層シート１１の全面に形成した後、型抜きによって必要ない部分を除去することもできる。
【００９７】
本実施形態の転売防止ラベル１０においては、ラミネート層１６ｃを設けたことにより、表示印刷層１７および識別情報印刷層１５ａの耐性・強度を向上して、識別情報印刷層１５ａおよび反転情報印刷層１５ｂの破壊・破損をより防止することが可能となる。
【００９８】
上記の各実施形態の転売防止ラベル１０においては、それぞれの構成を組み合わせることもできる。また、種種の変形例が可能である。さらに、転売防止ラベル１０、識別情報印刷層１５ａ、反転情報印刷層１５ｂのサイズなども特に限定されない。
【実施例】
【００９９】
以下、本発明にかかる実施例を説明する。
【０１００】
なお、本発明における具体例について説明する。
ここでは、図１，図２に示した転売防止ラベル１０を製造した。以下のように諸元を示す。
透明フィルム基材層１２材質；ポリエチレンテレフタレート（ＰＥＴ）フィルム、ポリプロピレンフィルムなど各種の合成樹脂フィルム
透明粘着剤層１３材質；天然ゴムまたは／およびブタジエン−スチレンゴム、アクリルゴム等の合成ゴムを主成分とするゴム系粘着剤、アクリル酸、アクリル酸ブチル、アクリル酸２エチルヘ キシル等を主成分とするアクリル系粘着剤
（東洋インキ製造株式会社製；商品名；オリバインＢＰＷ４６５５；水性溶媒分散型のアクリル系エマルジョン型粘着剤）など各種の感圧性接着剤（粘着剤）。また加熱により粘着性を帯びる感熱性粘着剤（剥離紙不使用）
剥離紙１４材質；紙製シートや合成樹脂フィルム製シートの片面にシリコーン樹脂やワックスなどの剥離層を塗工したもの
隠蔽層１６材質；印刷インキや、白色合成樹脂フィルム
表示印刷層１７材質；印刷インキ
転売防止ラベル１０長軸方向寸法；１３ｃｍ
識別情報印刷層１５ａ大きさ寸法；２×５ｃｍ
反転情報印刷層１５ｂ大きさ寸法；２×５ｃｍ
径寸法；ロール直径３０ｃｍφ
【０１０１】
この転売防止ラベル１０において、情報が読み取れないように破壊しようと試みた。
その結果、隠蔽層１６および表示印刷層１７の破損が転売可能な程度である場合には、反転情報印刷層１５ｂの内容が判別できる状態であり、また、反転情報印刷層１５ｂの内容が判別できないように破損した場合には、隠蔽層１６および表示印刷層１７の破損が転売不可な状態となっており、いずれの場合でも、本発明の転売防止ラベル１０によって転売防止効果を実現できることがわかる。
【産業上の利用可能性】
【０１０２】
本発明の活用例として、輸送中に製品をすり替えされることを防ぐ用途（偽造防止）を挙げることができる。
【符号の説明】
【０１０３】
１０…転売防止ラベル
１１…粘着積層シート（ウエブシート）
１２…透明フィルム基材層
１３…透明粘着剤層
１４…剥離紙
１５ａ…識別情報印刷層
１５ｂ…反転情報印刷層
１６…隠蔽層
１６ａ…隠蔽下層
１７…表示印刷層
１８…刻切部
２１…支軸
２２…シート供給手段
２３…デジタル印字手段（印字手段）
２４…隠蔽層印刷手段
２５…紫外線照射手段
２６…印刷手段
２７…紫外線照射手段
２８…型抜き手段
２９…剥離除去手段
３１…巻き取り手段
３２…支軸
Ｓ…被着体（商品）
【図１】
2019113616.tif 000003
【図２】
2019113616.tif 000004
【図３】
2019113616.tif 000005
【図４】
2019113616.tif 000006
【図５】
2019113616.tif 000007
【図６】
2019113616.tif 000008
【図７】
2019113616.tif 000009
【図８】
2019113616.tif 000010
【図９】
2019113616.tif 000011